(57)【特許請求の範囲】
【請求項１】
液透過性の表面シートと、液不透過性の裏面シートと、前記表面シートと前記裏面シートとの間に配置される吸収体とを有する吸収性物品であって、
前記表面シートと前記裏面シートとの間で、かつ、前記吸収体が設けられている領域よりも前記吸収性物品の長手方向の外側に、発熱体が配置されるように構成されており、
前記吸収体と前記発熱体との間で、前記液透過性の表面シートと前記液不透過性の裏面シートとを接合するシール部が形成されるとともに、
前記発熱体の設けられる領域の前記裏面シートの衣服当接面側に、前記吸収性物品を下着に固定するための粘着材が設けられており、
前記発熱体は、前記吸収性物品を下着に装着された状態において、前記シール部を折り目として前記下着の外側面に折り返して固定するように構成され、
前記吸収性物品の幅方向における前記発熱体の長さが、前記吸収性物品の幅方向における前記吸収体の長さよりも長いことを特徴とする吸収性物品。
【発明の詳細な説明】
【技術分野】
【０００１】
本発明は、吸収性物品に関する。
【背景技術】
【０００２】
特許文献１に、液透過性の表面シートと、液不透過性の裏面シートと、表面シートと裏面シートとの間に配置される吸収体とを有する吸収性物品であって、吸収体と表面シート又は裏面シートとの間に発熱体層が設けられている吸収性物品が開示されている。
【先行技術文献】
【特許文献】
【０００３】
【特許文献１】ＣＮ１０１２７３９３８Ａ
【発明の概要】
【発明が解決しようとする課題】
【０００４】
しかしながら、出願人は、上述の吸収性物品では、発熱体層が、体液を吸収した吸収体を温めることになり、着用者の肌及び表面シートの表面が蒸れてしまうという問題点があるということを発見した。
【０００５】
そこで、本発明は、上述の課題に鑑みてなされたものであり、着用者の肌及び表面シートの表面における蒸れを発生させることなく、着用者の子宮を温めて生理痛を低減することのできる吸収性物品を提供することを目的とする。
【課題を解決するための手段】
【０００６】
本発明の第１の特徴は、吸収性物品であって、液透過性の表面シートと、液不透過性の裏面シートと、前記表面シートと前記裏面シートとの間に配置される吸収体とを有する吸収性物品であって、前記表面シートと前記裏面シートとの間で、かつ、前記吸収体が設けられている領域よりも前記吸収性物品の長手方向の外側に、発熱体が配置されるように構成されていることを要旨とする。
【発明の効果】
【０００７】
以上説明したように、本発明によれば、着用者の肌及び表面シートの表面における蒸れを発生させることなく、着用者の子宮を温めて生理痛を低減することのできる吸収性物品を提供することができる。
【図面の簡単な説明】
【０００８】
【図１】本発明の第１の実施形態に係る吸収性物品の肌当接面側から見た平面図である。
【図２】本発明の第１の実施形態に係る吸収性物品の肌当接面側から見た平面図におけるａ-ａ断面図である。
【図３】本発明の第１の実施形態に係る吸収性物品が下着に着用された状態を説明するための図である。
【図４】本発明の第１の実施形態に係る吸収性物品が下着に着用された状態を説明するための図である。
【発明を実施するための形態】
【０００９】
（本発明の第１の実施形態）
図１乃至図３を参照して、本発明の第１の実施形態に係る吸収性物品１について説明する。例えば、本実施形態に係る吸収性物品１は、パンティライナーや失禁パッドや生理用ナプキン等である。
【００１０】
図１に、本発明の第１の実施形態に係る吸収性物品の肌当接面側から見た平面図を示し、図２に、本発明の第１の実施形態に係る吸収性物品の肌当接面側から見た平面図におけるａ-ａ断面図を示す。
【００１１】
図２に示すように、本実施形態に係る吸収性物品１は、液透過性の表面シート１１と、液不透過性の裏面シート１２と、表面シート１１と裏面シート１２との間に配置される吸収体２とを有する。
【００１２】
なお、本実施形態に係る吸収性物品１において、表面シート１１と吸収体２との間に、セカンドシートが配置されていてもよい。
【００１３】
吸収体２は、粉砕パルプ及び高吸収ポリマーと両者を包み込むコアラップとによって構成されている。ここで、高吸収ポリマーは、ポリアクリル酸ナトリウム架橋体の粒状のポリマーである。
【００１４】
また、コアラップは、液体を吸収する任意の材料のシートである。例えば、コアラップとして、ティッシュを用いてもよいし、親水性繊維や粉砕パルプをエアレイド法によってシート状にしたエアレイドシートを用いてもよい。
【００１５】
また、本実施形態に係る吸収性物品１には、図１に示すように、複数の圧搾溝２１、２２、２３が設けられていてもよい。ここで、圧搾溝２１、２２、２３は、表面シート１１から吸収体２までを圧搾するように構成されている。
【００１６】
また、本実施形態に係る吸収性物品１は、図１に示すように、吸収性物品１の幅方向Ｗの両外側に延出するように形成されている１対のウィング部４１を有していてもよい。さらに、本実施形態に係る吸収性物品１は、吸収性物品１の長手方向Ｌにおいて、ウィング部４１の後方に、１対のヒップフラップ部４２を有していてもよい。
【００１７】
ここで、ウィング部４１及びヒップフラップ部４２では、裏面シート１２の衣服当接面側に、吸収性物品１を下着に固定するための粘着剤が塗布されている。
【００１８】
また、本実施形態に係る吸収性物品１では、図１及び図２に示すように、表面シート１１と裏面シート１２との間で、かつ、吸収体２が設けられている領域よりも吸収性物品１の長手方向Ｌの外側に、発熱体３Ａ、３Ｂが配置されるように構成されている。
【００１９】
発熱体３Ａ、３Ｂは、公知の使い捨てカイロなどに使用しているものが挙げられ、鉄粉と活性炭と塩化ナトリウムとからなるものを使用することができる。この複合粉末を包むシートとしては、通気性を有し、粉末の漏れ出しを防ぐものが好ましく、例えば、透湿性フィルムやメルトブローン不織布等が好適に用いられる。
【００２０】
なお、本実施形態に係る吸収性物品１において、吸収体２が設けられている領域よりも吸収性物品１の長手方向Ｌの前方側及び後方側に、発熱体３Ａ、３Ｂが配置されるように構成されていてもよいし、吸収体１が設けられている領域よりも吸収性物品１の長手方向Ｌの前方側のみに、発熱体３Ａが配置されるように構成されていてもよい。
【００２１】
また、吸収性物品１の周囲は、接着剤やシールで接合されてシール部２４を形成しており、さらに、発熱体３Ａ、３Ｂと吸収体２との間も接着剤やシールで接合され、シール部２５Ａ、２５Ｂを形成している。このシール部２５Ａ及び２５Ｂにより、吸収体２の吸収された排泄物や水分から発生する蒸気が発熱体３Ａ及び３Ｂによって直接暖められることを防止することができる。
【００２２】
また、発熱体３Ａ、３Ｂが設けられている領域では、裏面シート１２の衣服当接面側に、吸収性物品１を下着に固定するための粘着剤が塗布されていてもよい。
【００２３】
図３及び図４に、本実施形態に係る吸収性物品１が下着１００に着用された状態を示す。
【００２４】
着用者は、吸収性物品１を下着１００に着用する際に、ウィング部４１を下着のクロッチに巻き込み、ヒップフラップ部４２を下着１００の上に広げて、吸収性物品１を下着１００に固定する。
【００２５】
発熱体３Ａ、３Ｂは、図３に示すように、本実施形態に係る吸収性物品１が下着１００に着用された状態において、下着１００の内側面に固定されるように構成されていてもよい。
【００２６】
また、発熱体３Ａ、３Ｂは、図４に示すように、本実施形態に係る吸収性物品１が下着１００に着用された状態において、下着１００の外側面に固定されるように構成されていてもよい。
【００２７】
本実施形態に係る吸収性物品１によれば、吸収体１が設けられている領域には、発熱体３Ａ、３Ｂが配置されないように構成されているため、体液を吸収した吸収体を温めることに起因する着用者の肌及び表面シート１１の表面における蒸れを発生させることなく、着用者の子宮を温めて生理痛を低減することができる。
【００２８】
また、本実施形態に係る吸収性物品１によれば、発熱体３Ａ、３Ｂが、吸収性物品１と一体となっているため、着用者は、発熱体３Ａ、３Ｂが温かくなくなってきた場合に、吸収性物品１の取替え時期が来たと気付くことができる。
【００２９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００３０】
１…吸収性物品
２…吸収体
３Ａ、３Ｂ…発熱体
１１…表面シート
１２…裏面シート
２１、２２、２３…圧搾溝
４１…ウィング部
４２…ヒップフラップ部
【図１】
0005666179.tif 000002
【図２】
0005666179.tif 000003
【図３】
0005666179.tif 000004
【図４】
0005666179.tif 000005